(57)【要約】【課題】高速化のためのライン並列処理に対応して、複数の方向からのディザ処理高速化を可能にする画像処理装置を提供する。【解決手段】分割された複数の画像データの個々の主走査方向および副走査方向の同期信号をカウントする複数のアドレスカウンタ制御部５０と、複数のアドレスカウンタ制御部５０により夫々カウントされた値に基づいて分割された複数の画像データの個々のディザマトリクス用のしきい値をしきい値テーブルから出力する複数のしきい値テーブル制御部５１と、分割された複数の画像データの各々を複数のしきい値テーブルの各々が発生するしきい値と夫々比較してディザ処理する複数の比較回路５２とを備え、アドレスカウンタ制御部５０は複数の画像データの夫々の主走査処理方向に応じてカウントを行い、しきい値テーブル制御部５１は分割された画像データの境界線での処理の連続性を保つようにディザサイズに応じた主走査処理を行う。【選択図】図４
2007194955.tif 000002
【特許請求の範囲】
【請求項１】
１ラインが複数に分割された各画像データをディザ処理する画像処理装置であって、前記分割された複数の画像データの個々の主走査方向および副走査方向の同期信号をカウントする複数のカウント手段と、前記複数のカウント手段により夫々カウントされた値に基づいて前記分割された複数の画像データの個々のディザマトリクス用のしきい値をしきい値テーブルから出力する複数のしきい値テーブル制御手段と、前記分割された複数の画像データの各々を前記複数のしきい値テーブルの各々が発生するしきい値と夫々比較してディザ処理する複数の比較手段と、を備え、前記カウント手段は前記複数の画像データの夫々の主走査処理方向に応じてカウントを行い、前記しきい値テーブル制御手段は前記分割された画像データの境界線での処理の連続性を保つようにディザサイズに応じた主走査処理を行うことを特徴とする画像処理装置。
【請求項２】
請求項１に記載の画像処理装置において、設定された主走査有効領域設定と選択された前記しきい値テーブルを比較して、主走査方向先端側の画像データと主走査方向後端側の画像データが合流する点でのディザ用マトリクスが一致するようにアドレスカウンタを制御するカウンタ初期値設定手段を備えていることを特徴とする画像処理装置。
【請求項３】
請求項２に記載の画像処理装置において、前記カウンタ初期値設定手段は、設定された副走査有効領域設定と選択された前記しきい値テーブルを比較して、副走査方向先端側の画像データと副走査方向後端側の画像データが合流する点でのディザ用マトリクスが一致するようにアドレスカウンタを制御することを特徴とする画像処理装置。
【発明の詳細な説明】
【技術分野】
【０００１】
本発明は、画像データをディザ処理する画像処理装置に関わり、特に複写機、プリンタ、ファクシミリなどの画像形成装置に好適なものである。
【背景技術】
【０００２】
複写機、プリンタ、ファクシミリなどの画像形成装置に適用され、画像データのディザ処理を行う画像処理装置では、入力画像データを制御する場合、副走査方向及び主走査方向の画像範囲を夫々示す副走査範囲信号及び主走査範囲信号と、主走査方向の開始点を示す主走査同期信号に基づいて行う。
この動作を図９に示すデジタル複写機の概観図、及び図１０に示す読取光学系の側面図を参照して説明する。
図９及び図１０に示す原稿台１上の原稿は、読み取り面が下向きになるようにセットされ、光源２により照明される。そして、その反射光がミラー３及びレンズと中継のミラー群４を通して順次収束、反射され、イメージラインセンサ（以下、ＣＣＤ）５により読み取られる。
【０００３】
図１１及び図１２は原稿台で読み取られたデータと画像制御信号との関係を示している。
図１１において副走査範囲信号（ＦＧＡＴＥ）は、図１０の光源２とミラー３が走査する方向、つまり副走査方向の画像範囲を示す信号で、主走査同期信号（ＬＳＹＮＣ）は図１０のＣＣＤ５の読み取り方向、つまり主走査方向のラインの開始点を示す主走査同期信号であり、主走査範囲信号（ＬＧＡＴＥ）は主走査方向の画像範囲を示す信号である。
主走査方向の原稿の読み取りは、図１２に示すようにＣＣＤ５によって、主走査方向のライン（ｌｉｎｅ１，ｌｉｎｅ２，ｌｉｎｅ３）毎に走査が行われる。
これら副走査範囲信号（ＦＧＡＴＥ）、主走査同期信号（ＬＳＹＮＣ）、主走査範囲信号（ＬＧＡＴＥ）の時間的な関係は図１３に示ようになり、２次元である原稿画像のデータを時間軸による画像データに置き換えて処理を行うようにしている。
【０００４】
図１４は画像形成装置であるデジタル複写機の全体構成を示したブロック図である。
この図１４において、ＣＰＵ１０は、全体の指示を司り、各ブロックに処理や設定の指示を送る。ＣＣＤ５により読み取られた画像データは、先ずスキャナ１１に送られ、Ａ／Ｄ変換が行われてスキャナ特性の補正がなされる。次に、画像処理部１２において、ディザ、誤差拡散など所定の画質処理を施された後、下位ブロックの画像フォーマットに従って出力され、画像蓄積部１３に送られる。
画像蓄積部１３は、少なくともコピー出力紙（以下、転写紙）一枚分の画像編集用の一時的なメモリ領域と、ハードディスク（ＨＤ）などの大容量の記憶媒体を持つことにより、多数部の画像データを蓄積可能で画像データの圧縮／伸張機能を有して画像情報の蓄積量を更に増やすようにしている。プリンタ１４は画像蓄積部１３から画像データを受け取って転写紙に出力する。
【０００５】
図１５は画像処理部１２の構成を示したブロック図である。
この図１５において、γ補正処理部２０はＲＡＭなどの記憶領域に予め格納された複数の変換テーブルを通して、画質の濃度変調の調整を行う。ディザ処理部２１は１画素（１ドット）を複数の参照テーブルを用いて量子化レベルを低くしながらも階調性を重視した中間調処理を行う。誤差拡散処理部２２は量子化レベルを落とす時に発生した誤差を周囲の量子化時に分配することにより、濃度を保存する処理を行う。出力選択部２３は誤差拡散処理部２２またはディザ処理部２１からの入力画像データを選択して画像蓄積部１３に出力する。
【０００６】
図１６はγ補正処理部２０の構成を示したブロック図である。
例えば８ビットの画像データをγ変換するためには、予めダウンロード切り替え信号でデータ選択部３０をＣＰＵアドレス側に倒しておいて、ＲＡＭ３１のチップセレクトとライトイネーブルをアクティブにしてＲＡＭ３１の０〜２５５番地にＣＰＵ１０からダウンロードし、通常動作中はダウンロード切り替え信号でデータ選択部３０を入力画像データ側に切り替えてＲＡＭ３１のアドレスとし、アドレスに対して出力されたデータをγ変換後のデータとして取り出す。この構成により、γ変換処理前に色々なデータをＣＰＵ１０からＲＡＭ３１にダウンロードすることにより、出力の要求に対応したγ変換を行うことが出来る。
【０００７】
図１７は誤差拡散処理部２２の構成を示したブロック図である。
誤差加算部４０は処理対象画素となるＭ（Ｍは自然数）の階調数を有する入力画像データＤＦｉｊと、誤差演算部４１からＤＦｉｊの周辺誤差情報Ｅを受け取り、それらの和を取って、Ｎ（Ｎ≦Ｍの自然数）の階調数を有する誤差補正後の入力画素データＳＦｉｊを出力する。量子化部４２は誤差補正後の入力画素データＳＦｉｊと、ＣＰＵ１０から受け取った量子化数（入力画像データＭビットに対し、Ｎビット、但しＭ＞Ｎ）に合わせた量子化しきい値ＴＦｉｊを受け取り、階調処理を行って出力画像データＧＦｉｊを出力する。誤差算出部４３は誤差補正後の入力画素データＳＦｉｊと、出力画像データＧＦｉｊを受け取って、入力画像データＤＦｉｊを量子化した際の量子化誤差ＥＦｉｊを求める。この量子化誤差ＥＦｉｊは誤差マトリクス蓄積部４４において、ラインメモリなどの記憶素子に対して書き込み／読み出しされる。誤差演算部４１は誤差マトリクス蓄積部４４から得られた図１８に示すような形状の誤差拡散マトリクスを生成し、各マトリクス係数に従って処理対象画素となる入力画像データＤＦｉｊの周辺誤差情報Ｅを算出する。
【０００８】
図１８に示すような誤差マトリクスとその係数の場合、注目画素Ｄｉｊに対する周辺誤差情報Ｅは、
Ｅ＝（Ｄｉ−２，ｊ−１＋２＊Ｄｉ−１，ｊ−１＋４＊Ｄｉ，ｊ−１＋２＊Ｄｉ＋１，ｊ−１＋Ｄｉ＋２，ｊ−１＋２＊Ｄｉ−２，ｊ＋４＊Ｄｉ−１，ｊ）／１６
で与えられる。
【０００９】
図１９はディザ処理部２１の構成を示したブロック図である。
この図１９において、アドレスカウンタ制御部５０は、画像データの制御信号群であるｘｌｇａｔｅとｘｆｇａｔｅを受け取って主走査側及び副走査側についてカウントを行い、このカウント値をしきい値テーブル制御部５１へ渡す。ここで、この主走査及び副走査方向のカウント値は該当する画像データの位置を指し示すことになる。
しきい値テーブル制御部５１は、図２０に示すディザマトリクス例に示すように、選択されたしきい値テーブルの大きさ、例えば４×４、６×６、８×８等にしたがってマトリクスを選択し、アドレスカウンタ制御部５０から受け取った主走査／副走査方向のカウント値と比較して、処理する画像データの位置と一致するしきい値データをマトリクスの中から選び出して比較回路５２へ送る。
【００１０】
例えば、図２０（ａ）に示すような４×４マトリクスが選択された場合、先頭ラインのしきい値は主走査方向に向かってａａ→ａｂ→ａｃ→ａｄ→ａａ→ａｂ→ａｃ→ａｄ→ａａ→ａｂ→…という流れでしきい値を繰り返し、また主走査方向の先頭画素は副走査方向に向かって、ａａ→ｂａ→ｃａ→ｄａ→ａａ→ｂａ→ｃａ→ｄａ→ａａ→ｂａ→…という流れでしきい値を繰り返す。
この例ではしきい値が一つで量子化を行う二値化処理であるが、このしきい値テーブルを複数持つマトリクスで量子化を行うと多値化処理も可能となることが特許文献１に開示されている。また特許文献２では並列処理による高速化について開示されている。
【特許文献１】特開平１０−１７３９２５号公報
【特許文献２】特開２０００−２４４７３８公報
【発明の開示】
【発明が解決しようとする課題】
【００１１】
近年、処理能力向上と複写機等の画像形成装置のコピースピードの増加に伴い、処理の基準時間となるクロックスピードの増加が激しくなってきている。また、それに伴って、画像処理における画像データフォーマットや画像データの同期信号と画像データの関係を改良して、画像データの量子化数を今までより減らして複数画素を束ねて（パッキングして）処理することで一度に複数画素分の処理を実行させたり、また、並列処理を行うことで画像処理速度を向上させることが行われつつある。
【００１２】
しかしながら、上記特許文献１においては、並列処理による処理速度向上については記載されておらず、また特許文献２では並列処理による高速化について述べられているが、限定された処理方向への実現手段となっている。
本発明は上記したような点を鑑みてなされたものであり、高速化のためのライン並列処理に対応して、複数の方向からのディザ処理高速化を可能にする画像処理装置を提供することを目的とする。また複数方向からの処理がぶつかる境界面に処理の不一致が出る障害を簡易的に防ぐことができる画像処理装置を提供することを目的とする。
【課題を解決するための手段】
【００１３】
上記目的を達成するため、請求項１の発明は、１ラインが複数に分割された各画像データをディザ処理する画像処理装置であって、前記分割された複数の画像データの個々の主走査方向および副走査方向の同期信号をカウントする複数のカウント手段と、前記複数のカウント手段により夫々カウントされた値に基づいて前記分割された複数の画像データの個々のディザマトリクス用のしきい値をしきい値テーブルから出力する複数のしきい値テーブル制御手段と、前記分割された複数の画像データの各々を前記複数のしきい値テーブルの各々が発生するしきい値と夫々比較してディザ処理する複数の比較手段と、を備え、前記カウント手段は前記複数の画像データの夫々の主走査処理方向に応じてカウントを行い、前記しきい値テーブル制御手段は前記分割された画像データの境界線での処理の連続性を保つようにディザサイズに応じた主走査処理を行うことを特徴とする。
【００１４】
また請求項２の発明は、請求項１に記載の画像処理装置において、設定された主走査有効領域設定と選択された前記しきい値テーブルを比較して、主走査方向先端側の画像データと主走査方向後端側の画像データが合流する点でのディザ用マトリクスが一致するようにアドレスカウンタを制御するカウンタ初期値設定手段を備えていることを特徴とする。
また請求項３の発明は、請求項２に記載の画像処理装置において、前記カウンタ初期値設定手段は、設定された副走査有効領域設定と選択された前記しきい値テーブルを比較して、副走査方向先端側の画像データと副走査方向後端側の画像データが合流する点でのディザ用マトリクスが一致するようにアドレスカウンタを制御することを特徴とする。
【発明の効果】
【００１５】
本発明によれば、カウント手段により複数の画像データの夫々の主走査処理方向に応じてカウントを行い、しきい値テーブルを分割された画像データの境界線での処理の連続性を保つようにディザサイズに応じた主走査処理数とすることで、異なる方向からのディザ処理を高速からのディザ処理高速化を図ることが可能になる。
また本発明によれば、カウンタ初期値設定手段により、設定された主走査有効領域設定と選択されたしきい値テーブルとを比較して、主走査方向先端側の画像データと主走査方向後端側の画像データが合流する点でのディザ用マトリクスが一致するようにアドレスカウンタを制御したり、或いは設定された副走査有効領域設定と選択されたしきい値テーブルを比較して、副走査方向先端側の画像データと副走査方向後端側の画像データが合流する点でのディザ用マトリクスが一致するようにアドレスカウンタを制御したりすることで、複数方向からの処理が接触する境界面での処理の不一致を防ぐことが可能になる。
【発明を実施するための最良の形態】
【００１６】
以下、本発明の画像処理装置の実施形態について説明する。
高速で画像を読み取る場合、図９及び図１０に示したように、原稿は読み取り面が下向きになるように原稿台１にセットされて光源２により照明される。そして、その反射光がミラー３及びレンズと中継のミラー群４を通して順次収束、反射され、ＣＣＤ５により読み取られる。ここで、複写機等の画像形成装置における読取速度を上げるには、２本のＣＣＤ５を重ねて逆向きに配置することによりラインを倍の速度で読み取ることが可能になる。
図１及び図２は本実施形態の画像処理装置を備えた画像形成装置の原稿台で読み取られたデータと画像制御信号との関係を示した図である。
この図１、図２は１ラインを主走査方向に２分割した場合に原稿台で読み取られたデータと画像制御信号との関係を示している。
【００１７】
図１において、副走査有効領域（以下、「ｘｆｇａｔｅ」という）は、図１０に示した光源２とミラー３が走査する方向、つまり副走査方向の画像範囲を表す信号で、主走査同期信号（以下、「ｘｆｌｓｙｎｃ」という）、及び主走査同期信号（以下、ｘｌｌｓｙｎｃ）は図１０に示すＣＣＤ５の読み取り方向、つまり主走査方向のラインの開始点を示す信号であり、主走査有効領域（以下、「ｘｆｌｇａｔｅ」という）及び主走査有効領域（以下、「ｘｌｌｇａｔｅ」という）は、主走査方向の画像範囲を示す信号である。
但し、本実施形態ではＣＣＤにより一走査ライン分を複数に分割するため、主走査ラインを２分割する例を示した図２では、前半ライン（Ｆ側）及び後半ライン（Ｌ側）の二つの画像データが互いに逆向きに発生する。
主走査方向の原稿の読み取りは、図３に示すようにＣＣＤ５によってＦ側のラインＡとラインＣ、ラインＦ、そしてＬ側のラインＢとラインＤ、ラインＦと別々に走査されて行くことになる。
【００１８】
図４は本発明の第１の実施形態としてのディザ処理部の構成を示した図である。
なお、本発明の画像処理装置はディザ処理部の構成に特徴があり、他の構成は図１５〜図１８に示した画像処理装置と同一構成であるので、本実施形態ではディザ処理部の構成についてのみ説明する。
図４に示すディザ処理部は、図１〜図３に示すように１ラインをＦ側とＬ側に２分割して読み取る場合を示している。
この図４に示すディザ処理部２１はＦ側のディザ処理部２１ＦとＬ側のディザ処理部２１Ｌを備えている。そしてこれらＦ側のディザ処理部２１ＦとＬ側のディザ処理部２１Ｌが図１９に示したディザ処理部の同じ構成とされ、夫々アドレスカウンタ制御部５０Ｆ，５０Ｌ、しきい値テーブル制御部５１Ｆ，５１Ｌ、及び比較回路５２Ｆ，５２Ｌを備えている。
【００１９】
アドレスカウンタ制御部５０Ｆ，５０Ｌは、夫々画像データの制御信号群であるｘｌｇａｔｅとｘｆｇａｔｅを受け取って、主走査側及び副走査側についてカウントを行い、このカウント値をしきい値テーブル制御部５１Ｆ，５１Ｌへ渡す。
ここで、主走査方向、及び副走査方向のカウント値は該当する画像データの位置を指し示すことになる。しきい値テーブル制御部５１Ｆ，５１Ｌは、図２０のディザマトリクス例に示したように、選択されたしきい値テーブルの大きさ、例えば４×４、６×６、８×８等にしたがってマトリクスを選択する。但し、Ｌ側のディザ処理部２１ＬとＦ側のディザ処理部２１Ｆのしきい値とは逆向きのため実際のテーブルの中身は逆となる。
【００２０】
そして、しきい値テーブル制御部５１Ｆ，５１Ｌは夫々のアドレスカウンタ制御部５０Ｆ，５０Ｌから受け取った主走査／副走査方向のカウント値と比較して処理する画像データの位置と一致するしきい値データをマトリクスの中から選び出し、夫々の比較回路５２Ｆ，５２Ｌへ送る。例えば４×４マトリクスが選択された場合、先頭ラインのしきい値は主走査方向に向かって、ａａ→ａｂ→ａｃ→ａｄ→ａａ→ａｂ→ａｃ→ａｄ→ａａ→ａｂ→という流れでしきい値を繰り返し、また主走査方向の先頭画素は副走査方向に向かって、ａａ→ｂａ→ｃａ→ｄａ→ａａ→ｂａ→ｃａ→ｄａ→ａａ→ｂａ→という流れでしきい値を繰り返す。
【００２１】
また、この４×４のディザマトリクスで処理を行う場合、必要とするカウント値はマトリクスサイズである主走査／副走査方向に４×４の大きさで繰り返すため、アドレスカウンタ制御部５０Ｆ，５０Ｌでカウントするカウンタは、画像データの実際の位置を扱う必要はなく、相対的にディザマトリクスに対応するデータの画素位置を指し示せば充分である。
比較回路５２Ｆ，５２Ｌでは、夫々のしきい値テーブル制御部５１Ｆ，５１Ｌより受け取ったしきい値と、入力画像データを比較し、入力画像データがしきい値より大きい場合とそうでない場合に分けて、出力値を“１”または“０”と判断して出力する。なお、本実施形態ではしきい値が一つで量子化を行う二値化処理を例に挙げて説明したが、しきい値テーブルを複数持つマトリクスを準備すれば多値化処理も可能となる。
【００２２】
また、図４に示した第１の実施形態の場合、Ｆ側のディザ処理部２１ＦとＬ側のディザ処理部２１Ｌの構造は何ら変わらず、設計に対する容易性はディザ処理部を一つ作成するのとなんら変わらない。但し、しきい値テーブル制御部５１Ｆ，５１Ｌに格納されるテーブルマトリクスは処理が逆向きとなるために予め鏡像を得るように裏返されたデータとなる。若しくは同じデータを入れる場合には、アドレスカウンタ制御部５０Ｆ，５０ＬがＬ側ではディクリメントすることで同じ処理を実現する。
また、並列処理した画像を主走査方向に連続してディザ処理を行うためには、各処理の境界でディザマトリクスの連続性が保たれることが条件となる。つまり、分割された夫々の処理の先頭画素がディザマトリクスの主走査側の先頭に一致するように、４×４のディザマトリクス使用の場合は主走査方向のｘｆｌｇａｔｅの長さを４の倍数に、６×６の場合は長さを６の倍数、８×８の場合は長さを８の倍数にする必要がある。
【００２３】
図５は、本発明の第２の実施形態としてのディザ処理部の構成を示した図である。なお、図４と同一部位には同一符号を付して詳細な説明は省略する。
この図５に示すディザ処理部２１には、Ｌ側のディザ処理部２１Ｌにカウンタ初期値判定部５３が設けられている点が上記図４に示したディザ処理部とは異なる。
この場合、Ｌ側のディザ処理部２１Ｌのカウンタ初期値判定部５３は、ＣＰＵ１０より設定された主走査有効領域設定と選択されたしきい値テーブルを比較し、主走査先端側（Ｆ側）と主走査後端側（Ｌ側）の処理が合流する点でディザのマトリクスが一致するようにアドレスカウンタを制御する。例えば、主走査画素数が７０００画素と指定され、６×６のディザマトリクスが選ばれたケースとなると、７０００／６＝１１６６、余り４となるため、Ｆ／Ｌ両側のディザマトリクスのデータを合流点では、剰余／２の数だけＬ側のアドレスカウンタを進めておく。これにより合流点でのマトリクスの連続性を保つようにしている。実際にはカウンタ初期値判定部５３による実現方法はＬ側のみでなく、Ｆ側で実践しても可能である。
【００２４】
またカウンタ初期値判定部５３を用いない方法としても、ＣＰＵ１０によって直接アドレスカウンタ制御部５０に初期値を代入する方法や、しきい値テーブルを単純に反転してＬ側に入れるのではなく、ズレ量も加味して設定すると、分割境界面でもスムーズなディザ処理を実現することができる。
【００２５】
次に本発明の第３の実施形態について説明する。
図６は画像データがメモリ上に格納されているイメージを２次元で表し、それを画像処理するためにどのように読み出すかの一例を示した図、図７は図６に示した読み出し手順により読み出した画像データを処理する際の制御信号との関係を示した図である。
図６に示すように画像データがメモリ上に格納されている場合は、読み取りデバイス構造に左右されることがなく、画像データをどこから取るからは自由に選択できるため、先頭ライン側（Ｕ側）からだけではなく、最終ライン側（Ｄ側）からも同時に読み出すことが可能である。
【００２６】
図８は第３の実施形態としてのディザ処理部の構成を示した図である。なお、図４、図５と同一部位には同一符号を付して詳細な説明は省略する。
図８に示すディザ処理部２１では、図７に示した画像データを受け取れるよう先頭ライン側（Ｕ側）からだけではなく最終ライン側（Ｄ側）からも同時に読み出すことができるように、Ｕ側のディザ処理部２１ＵＦ、２１ＵＬに加えて、Ｄ側のディザ処理部２１ＤＦ、２１ＤＬを設けるようにしている。これにより、さらなる高速化を図ることが可能になる。
この場合、Ｄ側のディザ処理部２１ＤＦ、２１ＤＬでは、Ｕ側のディザ処理部２１ＵＦ、２１ＵＬに対して境界連続性を保つため、主走査に加えて副走査側の初期値判定も行う初期値判定部５３ＤＦ，５３ＤＬを設けることで、主走査及び副走査同時にディザ処理を行い、高速化を図ることが可能となる。
【図面の簡単な説明】
【００２７】
【図１】原稿と制御信号の関係を示した図。
【図２】１ラインを主走査方向に２分割した場合におけるデジタル複写機の画像走査の具体例を示した図。
【図３】画像データと各制御信号のタイミング関係を示した図。
【図４】本発明の第１の実施形態としてのディザ処理部の構成を示した図。
【図５】本発明の第２の実施形態としてのディザ処理部の構成を示した図。
【図６】第３の実施形態におけるデジタル複写機の画像走査の具体例を示した図。
【図７】第３の実施形態における画像データと各制御信号のタイミング関係を示した図。
【図８】本発明の第３の実施形態としてのディザ処理部の構成を示した図。
【図９】デジタル複写機の概観の一例を示した図。
【図１０】読み取り光学系の側面図。
【図１１】原稿と制御信号の関係を示した図
【図１２】デジタル複写機の画像走査の具体例を示した図。
【図１３】同期信号群のタイミング関係を示した図。
【図１４】デジタル複写機の全体ブロックの構成例を示した図。
【図１５】画像処理部の構成を示したブロック図。
【図１６】γ補正処理部の構成を示したブロック図。
【図１７】誤差拡散処理部の構成を示したブロック図。
【図１８】誤差拡散マトリクス例を示した図。
【図１９】ディザ処理部の構成を示したブロック図。
【図２０】ディザマトリクスの一例を示した図。
【符号の説明】
【００２８】
１…原稿台、２…光源、３…ミラー、４…ミラー群、５…ＣＣＤ、１０…ＣＰＵ、１１…スキャナ、１２…画像処理部、１３…画像蓄積部、１４…プリンタ、２０…補正処理部、２１…ディザ処理部、２２…誤差拡散処理部、２３…出力選択部、３０…データ選択部、３１…ＲＡＭ、４０…誤差加算部、４１…誤差演算部、４２…量子化部、４３…誤差算出部、４４…誤差マトリクス蓄積部、５０…アドレスカウンタ制御部、５１…しきい値テーブル制御部、５２…比較回路、５３…カウンタ初期値判定部
【図１】
2007194955.tif 000003
【図２】
2007194955.tif 000004
【図３】
2007194955.tif 000005
【図４】
2007194955.tif 000006
【図５】
2007194955.tif 000007
【図６】
2007194955.tif 000008
【図７】
2007194955.tif 000009
【図８】
2007194955.tif 000010
【図９】
2007194955.tif 000011
【図１０】
2007194955.tif 000012
【図１１】
2007194955.tif 000013
【図１２】
2007194955.tif 000014
【図１３】
2007194955.tif 000015
【図１４】
2007194955.tif 000016
【図１５】
2007194955.tif 000017
【図１６】
2007194955.tif 000018
【図１７】
2007194955.tif 000019
【図１８】
2007194955.tif 000020
【図１９】
2007194955.tif 000021
【図２０】
2007194955.tif 000022